(57)【要約】      （修正有）【課題】滑り止めクリーム等を担持でき、しかも携帯に適したプラスチック製シート状容器を提供する。【解決手段】プラスチック製の基体シートから主体が構成され、携帯用名刺入れ又は財布に収納可能で、且つ、名刺用ポケット又はカード用ポケットに少なくとも一部を差し込み可能な大きさを有し、前記基体シートの一の面に、指先腹部分が挿入可能な大きさの収容凹部が区画形成されていることを特徴とする。【選択図】図１
0003141965.tif 000002
【実用新案登録請求の範囲】
【請求項１】
プラスチック製の基体シートから主体が構成され、携帯用名刺入れ又は財布に収納可能で、且つ、名刺用ポケット又はカード用ポケットに少なくとも一部が差し込み可能な大きさを有し、前記基体シートの一の面に、指先腹部分が挿入可能な大きさの収容凹部が区画形成されていることを特徴とするプラスチック製シート状容器。
【請求項２】
前記収容凹部の開口を閉塞するための蓋体を備えることを特徴とする請求項１に記載のプラスチック製シート状容器。
【請求項３】
前記蓋体は、プラスチック製で、前記収容凹部の開口を閉塞する大きさの蓋本体と、基端部が該一の面に固定され先端部に前記蓋本体が取り付けられた支持片とから構成され、前記基体シート及び前記支持片の少なくとも一方は前記一の面に直交する方向に弾性変形可能に構成され、前記蓋本体は、前記基体シート及び前記支持片の少なくとも一方が有する弾性復帰力によって常態では前記収容凹部の開口を閉塞する状態を維持し、且つ、前記基体シート及び前記支持片の少なくとも一方の弾性変形によって前記蓋本体と前記収容凹部の開口との間に指先が差し入れ可能な隙間が形成されるように構成したことを特徴とする請求項２に記載のプラスチック製シート状容器。
【請求項４】
前記基体シートは矩形状又は方形状に構成され、前記基体シートの一辺の延在方向の両側には、一の辺に開口する２つの切り込みによって区画され名刺用ポケット又はカード用ポケットに差し込み可能な差し込み片がそれぞれ形成され、前記基体シートの前記一辺の延在方向の中央部分に前記収容凹部が形成されていることを特徴とする請求項１から３いずれか一に記載のプラスチック製シート状容器。
【請求項５】
前記収容凹部には滑り止めクリーム又は朱肉が充填されていることを特徴とする請求項１から４いずれか一に記載のプラスチック製シート状容器。
【請求項６】
前記収容凹部には滑り止めクリームが充填され、前記蓋本体の内面には除湿用のネットが付設されていることを特徴とする請求項１から４いずれか一に記載のプラスチック製シート状容器。
【考案の詳細な説明】
【技術分野】
【０００１】
本考案は、プラスチック製シート状容器に関するもので、例えば、滑り止めクリームや朱肉の担持体として使用できるプラスチック製シート状容器に係わる。
【背景技術】
【０００２】
従来、滑り止めクリームの担持体としては、薄肉円筒状の容器が使用されていた。この容器の厚さはほぼ１ｃｍ以上であり、持ち歩く場合には、衣服のポケットに入れて持ち歩くには厚すぎて、カバンやバッグ等に入れたりして持ち歩くことが多かった。
【考案の開示】
【考案が解決しようとする課題】
【０００３】
冬場など手肌が乾燥し、特に、外出先での支払いの時に紙幣を数えたりする場合や、買い物をした際にそれを入れるためにレジ袋の口を開いたりする場合に困難を来すことが多い。このような場合、滑り止めクリームが手元にあると便利である。しかし、上述のように、カバンやバッグ等に滑り止めクリームを入れている場合、カバンやバッグ等から滑り止めクリームをいちいち取り出すのは面倒である。また一方で、カバンやバッグ等を持たないで手ぶらで外出する際には、滑り止めクリームを持ち歩くのは困難である。
かかる事情は、朱肉等の場合にも存する。
【０００４】
本考案は、かかる問題点を解決するためになされたもので、クリーム等を担持でき、しかも携帯に適したプラスチック製シート状容器を提供することを目的とする。
【課題を解決するための手段】
【０００５】
請求項１の考案は、プラスチック製の基体シートから主体が構成され、携帯用名刺入れ又は財布に収納可能で、且つ、名刺用ポケット又はカード用ポケットに少なくとも一部が差し込み可能な大きさを有し、前記基体シートの一の面に、指先腹部分が挿入可能な大きさの収容凹部が区画形成されていることを特徴とするプラスチック製シート状容器である。
【０００６】
請求項２の考案は、前記収容凹部の開口を閉塞するための蓋体を備えることを特徴とする請求項１に記載のプラスチック製シート状容器である。
【０００７】
請求項３の考案は、前記蓋体は、プラスチック製で、前記収容凹部の開口を閉塞する大きさの蓋本体と、基端部が該一の面に固定され先端部に前記蓋本体が取り付けられた支持片とから構成され、前記基体シート及び前記支持片の少なくとも一方は前記一の面に直交する方向に弾性変形可能に構成され、前記蓋本体は、前記基体シート及び前記支持片の少なくとも一方が有する弾性復帰力によって常態では前記収容凹部の開口を閉塞する状態を維持し、且つ、前記基体シート及び前記支持片の少なくとも一方の弾性変形によって前記蓋本体と前記収容凹部の開口との間に指先が差し入れ可能な隙間が形成されるように構成したことを特徴とする請求項２に記載のプラスチック製シート状容器である。
【０００８】
請求項４の考案は、前記基体シートは矩形状又は方形状に構成され、前記基体シートの一辺の延在方向の両側には、一の辺に開口する２つの切り込みによって区画され名刺用ポケット又はカード用ポケットに差し込み可能な差し込み片がそれぞれ形成され、前記基体シートの前記一辺の延在方向の中央部分に前記収容凹部が形成されていることを特徴とする請求項１から３いずれか一に記載のプラスチック製シート状容器である。
【０００９】
請求項５の考案は、前記収容凹部には滑り止めクリーム又は朱肉が充填されていることを特徴とする請求項１から４いずれか一に記載のプラスチック製シート状容器である。
また、請求項６の考案は、前記収容凹部には滑り止めクリームが充填され、前記蓋本体の内面には除湿用のネットが付設されていることを特徴とする請求項１から４いずれか一に記載のプラスチック製シート状容器である。
【考案の効果】
【００１０】
請求項１から４の考案によれば、収容凹部にはハンドクリーム、滑り止めクリーム又は朱肉その他を詰めて持ち歩くことができるので便利である。また、プラスチック製シート状容器は携帯用名刺入れや財布に収納可能で且つ名刺用ポケット又はカード用ポケットに差し込み可能であるので、衣服のポケットに入れて携帯用名刺入れや財布と共に持ち歩くことができる。換言すれば、カバンやバッグ等と一緒に持ち歩く必要がない。
【００１１】
また、請求項２及び３の考案によれば、蓋体付きなので、収容凹部への詰め物によって携帯用名刺入れや財布が汚れるのを防止することができるばかりでなく、詰め物自体の乾燥等を抑制することができる。
【考案を実施するための最良の形態】
【００１２】
以下に、本考案の実施形態に係るプラスチック製シート状容器を、図面を参照しながら説明する。
Ａ．第１実施形態
図１は、本考案の実施形態に係るプラスチック製シート状容器の使用状態を示した図、図２は、本考案の実施形態に係るプラスチック製シート状容器を示した平面図、図３は、本考案の実施形態に係るプラスチック製シート状容器の断面図であり、図２のＡ−Ａ線に沿った断面図である。
【００１３】
（プラスチック製シート状容器の構成）
図１に示したプラスチック製シート状容器１は名刺やキャッシングカードとほぼ同一形状で矩形状に構成され、０．２ｍｍ〜１．０ｍｍの厚さのプラスチック製シートをベース（基体シート）とするものである。この基体シート２は真空成型や圧空成型に適した素材である塩ビ材、ペット材、ポリプロピレン（ＰＰ材）、ＯＰＳ材等によって形成されていることが好ましい。勿論、これに限定はされるものではない。
【００１４】
基体シート２には、一の面側の一の角隅部に、該一の面側に開口する円形の収容凹部３が形成されている。この収容凹部３の直径は一般の大人の親指又は人差し指の指先腹部分が入る大きさであることが好ましい。なお、収容凹部３は円形に限定はされない。四角形、３角形又は楕円形その他の形状であっても良いが、一般の大人の親指又は人差し指の指先腹部分が入る大きさであることが好ましい。
また、基体シート２には、上記一の面側で上記一の角隅部と対角となる角隅部に、円柱状の凸部４が形成されている。
さらに、基体シート２には、上記一の面側で上記収容凹部３の開口を開閉するための蓋体５が設けられている。蓋体５は、円形の蓋本体５ａと、先端部が蓋体５ａと連結され、且つ基端部が上記凸部４に嵌合する支持片（アーム）５ｂとから構成されている。支持片５ｂは凸部４に両面テープ６によって接着されている。なお、蓋体５は、特に限定はされないが、基体シート２と同じプラスチック材によって構成されている。支持片５ｂは上記一の面に直交する方向にある程度の弾性を有し、弾性復帰力によって蓋本体５ａが上記収容凹部３を閉塞できるようになっている。
なお、この実施形態では、支持片５ｂは凸部４に両面テープ６によって接着されているが、支持片５ｂは凸部４に圧入されていても良い。この場合には両面テープは不要である。また、この実施形態では、凸部４を断面円形としているが、四角形、３角形又は楕円形その他の形状であっても良い。さらに、収容凹部３に滑り止めクリームなどを入れる場合には除湿のために除湿用のネットを蓋本体５ａの内面に付設することが好ましい。
【００１５】
ここで、プラスチック製シート状容器１の厚さは、特に限定はされないが、最大で５．５ｍｍ以下とすることが好ましい。これ以上の厚さとなった場合には、財布などのポケットに入れるには厚すぎるからである。
【００１６】
（プラスチック製シート状容器の製造方法）
このプラスチック製シート状容器１は真空成型、圧空成型又はプレス加工等によって製造可能であるが、ここでは真空成型の場合を説明する。
まず、基体シート２の元となるプラスチック素材を真空成型機にセットし、そのプラスチック素材をヒータによって加熱する。真空成型機によってエアブローを行い、プラスチック素材を膨らませる。プラスチック素材の一面側から上記収容凹部３及び上記凸部４を形成するための型を押し付け、真空冷却を行う。その後に型をプラスチック素材から離間させる。これによって基体シート１が製造される。
なお、蓋体５も真空成型、圧空成型又はプレス加工等によって製造される。
【００１７】
（プラスチック製シート状容器の使用方法）
収容凹部３にはクリームその他７が詰め込まれる。この詰め込みは、プラスチック製シート状容器１を購入した人が行っても良いが、予め、販売側が行っておいても良い。
そうして、例えば、滑り止めクリームが詰め込まれたプラスチック製シート状容器１は、携帯用名刺入れや財布のポケットに差し込まれ、該携帯用名刺入れや該財布と共に持ち歩かれる。そして、例えば、外出先での支払いの時に紙幣を数えたりする場合に、蓋本体５ａを基体シート２に対して離間させて収容凹部３を露出させ、例えば親指又は人差し指の指先腹部分に滑り止めクリームを付けて紙幣を数える。
【００１８】
Ｂ．第２実施形態
上記プラスチック製シート状容器１では、基体シート２は矩形状に形成したが、例えば、図４（Ａ），（Ｂ）に示すように、基体シート２は、矩形状のシートの一辺に対して全体的に又は部分的に弧状又は舌状に膨らむような形状となっていても良い。そして、その膨出部分に一部架かるように、又はその膨出部分に収容凹部３を設けるようにしても良い。ただし、全体として財布などに収納できる大きさとすることが好ましい。
【００１９】
Ｃ．第３実施形態
上記プラスチック製シート状容器１では、基体シート２は矩形状に形成したが、例えば、次のように構成しても良い。すなわち、図５に示すように、基体シート２の長辺である一辺に開口する２つの切り込み１０によって区画される差し込み片１１が基体シート２の長辺方向の両側にそれぞれ形成され、また、基体シート２の長辺の延在方向の中央部分に収容凹部３及び蓋体５が設けられている。そして、収容凹部３は、基体シート２の長辺のうちで上記切り込み１０が形成されている辺とは反対側の辺近くに設けられている。
このプラスチック製シート状容器１は、図６に示すように、例えば差し込み片１１，１１が財布等のポケットに差し込まれ、例えば基体シート２の長辺の延在方向の中央部分がポケット外に露出するようにして財布等に収納される。
なお、ちなみに、この実施形態のプラスチック製シート状容器１は、長辺の最大寸法が８ｃｍ、短辺の寸法が５．５ｃｍとされている。
【００２０】
（本考案の変形例）
以上、本考案の実施形態について説明したが、本考案は、かかる実施形態に限定されるものではなく、その要旨を逸脱しない範囲で種々変形可能であることは言うまでもない。
例えば、図１〜図３に示す実施形態では、蓋体５の支持片５ｂが弾性を有するように構成したが、基体シート２側が弾性を有していても良い。また、蓋体５の支持片５ｂと基体シート２の双方が弾性を有していても良い。さらに、図４に示す実施形態のものに、蓋体５を設けても良い。
【図面の簡単な説明】
【００２１】
【図１】本考案の第１実施形態に係るプラスチック製シート状容器の使用状態を示した図である。
【図２】本考案の実施形態に係るプラスチック製シート状容器を示した平面図である。
【図３】本考案の実施形態に係るプラスチック製シート状容器の断面図である。
【図４】本考案に係るプラスチック製シート状容器の第２実施形態の基体シートを示した平面図である。
【図５】本考案に係るプラスチック製シート状容器の第３実施形態を示した平面図である。
【図６】本考案に係るプラスチック製シート状容器の第３実施形態の使用状態を示した図である。
【符号の説明】
【００２２】
１    プラスチック製シート状容器
２    基体シート
３    凹部
４    凸部
５    蓋体
５ａ    蓋本体
５ｂ    支持片
【図１】
0003141965.tif 000003
【図２】
0003141965.tif 000004
【図３】
0003141965.tif 000005
【図４】
0003141965.tif 000006
【図５】
0003141965.tif 000007
【図６】
0003141965.tif 000008